(57)【要約】【課題】液圧経路の異常を速やかに検出すること。【解決手段】液圧経路のブレーキ液圧が閾値以下となった場合に液圧経路の異常を検出する異常検出部と、異常が検出された液圧経路へのブレーキ液圧の供給を遮断する液圧調整部と、をブレーキＥＣＵ１に備え、かつ、自車両と障害物との衝突を回避できない場合、加圧部７０の加圧ブレーキ液圧で衝突回避制御を行い、衝突した場合、加圧ブレーキ液圧で衝突後運転支援制御を行う運転支援制御部と、自車両における衝突箇所を予測する衝突箇所予測部と、衝突箇所の予測情報に基づいて衝突による異常発生リスクの高い車輪の液圧経路を予測する異常箇所予測部と、液圧経路の異常が検出されるまでの間、異常発生リスクの低い正常な車輪の液圧経路への加圧ブレーキ液圧の供給を継続させると共に、異常発生リスクの高い車輪の液圧経路への加圧ブレーキ液圧の供給圧を抑制する加圧調整部と、を運転支援ＥＣＵ２に備えること。【選択図】図１
2016002897.tif 000002
【特許請求の範囲】
【請求項１】
ブレーキ液圧が供給される車輪毎の液圧経路と、
前記各液圧経路から供給されたブレーキ液圧に応じた制動力を発生させる車輪毎の制動力発生部と、
加圧ブレーキ液圧を前記液圧経路に供給する加圧部と、
前記液圧経路のブレーキ液圧が閾値以下となった場合に当該液圧経路の異常を検出する異常検出部と、
該異常が検出された液圧経路へのブレーキ液圧の供給を遮断する液圧調整部と、
自車両と障害物との衝突の可能性を判定し、かつ、該衝突が回避可能であるのか否かを判定する衝突可能性判定部と、
自車両と前記障害物との衝突の可能性があり、該衝突を回避できない場合、前記加圧部を制御し、前記加圧ブレーキ液圧を前記各液圧経路に供給して、衝突回避制御を行い、該衝突が発生した場合、前記加圧ブレーキ液圧を制御対象輪となる車輪の前記液圧経路に供給して、衝突後運転支援制御を行う運転支援制御部と、
自車両における前記障害物との衝突箇所を予測する衝突箇所予測部と、
該衝突箇所の予測情報に基づいて、衝突による異常発生リスクの高い車輪の前記液圧経路を予測する異常箇所予測部と
前記異常検出部により前記液圧経路の異常が検出されるまでの間、異常発生リスクの低い正常な車輪の前記液圧経路への前記加圧ブレーキ液圧の供給を継続させると共に、異常発生リスクの高い車輪の前記液圧経路への前記加圧ブレーキ液圧の供給圧を抑制する加圧調整部と、
を備えることを特徴としたブレーキ制御装置。
【請求項２】
自車両と前記障害物との衝突を検出する衝突判定部を備え、
前記加圧調整部は、少なくとも衝突発生後、前記異常検出部により前記液圧経路の異常が検出されるまでの間、異常発生リスクの高い車輪の前記液圧経路への前記加圧ブレーキ液圧の供給圧を抑制することを特徴とした請求項１に記載のブレーキ制御装置。
【請求項３】
自車両と前記障害物との衝突を検出する衝突判定部を備え、
前記加圧調整部は、少なくとも衝突発生前から開始して、衝突発生後、前記異常検出部により前記液圧経路の異常が検出されるまで、異常発生リスクの高い車輪の前記液圧経路への前記加圧ブレーキ液圧の供給圧を抑制することを特徴とした請求項１に記載のブレーキ制御装置。
【請求項４】
前記加圧調整部は、異常発生リスクの低い正常な車輪の前記液圧経路と比べて前記加圧ブレーキ液圧の供給圧を低下させる、又は、前記加圧ブレーキ液圧の供給を遮断することで、異常発生リスクの高い車輪の前記液圧経路への前記加圧ブレーキ液圧の供給圧を抑制することを特徴とした請求項１，２又は３に記載のブレーキ制御装置。
【発明の詳細な説明】
【技術分野】
【０００１】
本発明は、車両に発生させる制動力を制御するブレーキ制御装置に関する。
【背景技術】
【０００２】
従来、この種のブレーキ制御装置として様々な形態のものが知られている。例えば、ブレーキ制御装置には、自車両の衝突の虞を検出した際に、制動システムのブレーキアクチュエータを加圧制御し、制動力を自動的に発生させることで、衝突の回避制御を実施するものがある（いわゆるプリクラッシュブレーキ制御）。下記の特許文献１には、このようなブレーキ制御装置が開示されている。このブレーキ制御装置は、衝突の危険を予測すると、減圧弁に閉信号を出力すると共に加圧弁にデューティ信号を出力して、プリクラッシュブレーキ制御を実行し、衝突の危険が無くなると、加圧弁に閉信号を出力すると共に減圧弁にデューティ信号を出力して、プリクラッシュブレーキ制御を停止する。
【先行技術文献】
【特許文献】
【０００３】
【特許文献１】特開平６−３１２６５４号公報
【発明の概要】
【発明が解決しようとする課題】
【０００４】
ところで、制動システムにおいては、自車両の衝突に伴い、ブレーキ液の液圧経路に損傷が発生してしまうこともある。その際には、ブレーキ液圧の異常な低下を検出し、損傷箇所を早期に特定することが望まれる。しかしながら、加圧制御中にブレーキアクチュエータよりも下流（車輪側）で損傷が発生した場合には、その損傷箇所でもブレーキ液圧が加圧され続けているので、損傷箇所におけるブレーキ液圧の低下が緩やかになり、ブレーキ液圧の低下が異常なものであると検出される時期が遅くなってしまう可能性がある。
【０００５】
そこで、本発明は、かかる従来例の有する不都合を改善し、ブレーキ液の液圧経路の異常を速やかに検出可能なブレーキ制御装置を提供することを、その目的とする。
【課題を解決するための手段】
【０００６】
上記目的を達成する為、本発明は、ブレーキ液圧が供給される車輪毎の液圧経路と、前記各液圧経路から供給されたブレーキ液圧に応じた制動力を発生させる車輪毎の制動力発生部と、加圧ブレーキ液圧を前記液圧経路に供給する加圧部と、前記液圧経路のブレーキ液圧が閾値以下となった場合に当該液圧経路の異常を検出する異常検出部と、該異常が検出された液圧経路へのブレーキ液圧の供給を遮断する液圧調整部と、自車両と障害物との衝突の可能性を判定し、かつ、該衝突が回避可能であるのか否かを判定する衝突可能性判定部と、自車両と前記障害物との衝突の可能性があり、該衝突を回避できない場合、前記加圧部を制御し、前記加圧ブレーキ液圧を前記各液圧経路に供給して、衝突回避制御を行い、該衝突が発生した場合、前記加圧ブレーキ液圧を制御対象輪となる車輪の前記液圧経路に供給して、衝突後運転支援制御を行う運転支援制御部と、自車両における前記障害物との衝突箇所を予測する衝突箇所予測部と、該衝突箇所の予測情報に基づいて、衝突による異常発生リスクの高い車輪の前記液圧経路を予測する異常箇所予測部と、前記異常検出部により前記液圧経路の異常が検出されるまでの間、異常発生リスクの低い正常な車輪の前記液圧経路への前記加圧ブレーキ液圧の供給を継続させると共に、異常発生リスクの高い車輪の前記液圧経路への前記加圧ブレーキ液圧の供給圧を抑制する加圧調整部と、を備えることを特徴としている。
【０００７】
ここで、自車両と前記障害物との衝突を検出する衝突判定部を備え、前記加圧調整部は、少なくとも衝突発生後、前記異常検出部により前記液圧経路の異常が検出されるまでの間、異常発生リスクの高い車輪の前記液圧経路への前記加圧ブレーキ液圧の供給圧を抑制することが望ましい。
【０００８】
また、自車両と前記障害物との衝突を検出する衝突判定部を備え、前記加圧調整部は、少なくとも衝突発生前から開始して、衝突発生後、前記異常検出部により前記液圧経路の異常が検出されるまで、異常発生リスクの高い車輪の前記液圧経路への前記加圧ブレーキ液圧の供給圧を抑制することが望ましい。
【０００９】
また、前記加圧調整部は、異常発生リスクの低い正常な車輪の前記液圧経路と比べて前記加圧ブレーキ液圧の供給圧を低下させる、又は、前記加圧ブレーキ液圧の供給を遮断することで、異常発生リスクの高い車輪の前記液圧経路への前記加圧ブレーキ液圧の供給圧を抑制することが望ましい。
【発明の効果】
【００１０】
本発明に係るブレーキ制御装置は、衝突が不可避である場合に全ての車輪の液圧経路に対して加圧ブレーキ液圧を供給し、かつ、予測した障害物との衝突箇所に基づいて、衝突による異常発生リスクの高い車輪の液圧経路を予測する。そして、このブレーキ制御装置は、液圧経路の異常が検出されるまでの間、異常発生リスクの低い正常な車輪の液圧経路への加圧ブレーキ液圧の供給を継続させると共に、異常発生リスクの高い車輪の液圧経路への加圧ブレーキ液圧の供給圧を抑制する。このため、この制動システムにおいては、その異常発生リスクの高い車輪の液圧経路におけるブレーキ液圧の低下速度を高めることができる。よって、このブレーキ制御装置は、その異常発生リスクの高い車輪の液圧経路の異常を速やかに検出することができる。更に、このブレーキ制御装置は、液圧経路の異常が検出されるまでの間も、異常発生リスクの低い正常な車輪の液圧経路に対して加圧ブレーキ液圧の供給を継続し続けているので、その加圧ブレーキ液圧を利用した操縦安定性の向上制御を実施することができる。
【図面の簡単な説明】
【００１１】
【図１】図１は、本発明に係るブレーキ制御装置の構成を示す図である。
【図２】図２は、実施例の制動システムの構成を示す図である。
【図３】図３は、本発明に係るブレーキ制御装置の演算処理動作を説明するフローチャートである。
【図４】図４は、衝突形態の一例を示す図である。
【図５】図５は、図５の衝突形態におけるブレーキ液圧制御のタイムチャートである。
【図６】図６は、変形例の制動システムの構成を示す図である。
【発明を実施するための形態】
【００１２】
以下に、本発明に係るブレーキ制御装置の実施例を図面に基づいて詳細に説明する。尚、この実施例によりこの発明が限定されるものではない。
【００１３】
［実施例］
本発明に係るブレーキ制御装置の実施例を図１から図５に基づいて説明する。
【００１４】
本実施例のブレーキ制御装置は、自車両の制動システムに対しての制御を行うものであり、その制御に係る演算処理を実施する電子制御装置（以下、「ブレーキＥＣＵ」という。）１を備える（図１）。
【００１５】
そのブレーキＥＣＵ１には、図２に示す制動システムが接続されている。ここで例示する制動システムは、機関（内燃機関等のエンジン）を動力源８１とする車両に搭載されるシステムの内の一例である。
【００１６】
この制動システムは、いわゆるディスクブレーキ装置であり、マスタシリンダ圧又は調圧後のブレーキ液圧に応じた制動力を夫々の車輪Ｗ＊＊に対して個別に付与することができる。この制動システムには、運転者のブレーキペダル１０の操作量（以下、「ブレーキ操作量」という。）に応じたブレーキ液圧（マスタシリンダ圧）を発生させる液圧発生部２０と、ブレーキ液圧に応じた制動力を発生させる車輪Ｗ＊＊毎の制動力発生部３０＊＊と、その液圧発生部２０のブレーキ液圧をそのまま又は車輪Ｗ＊＊毎に調圧して夫々の制動力発生部３０＊＊に供給する液圧調整部４０と、が設けられている。そのブレーキ操作量（ペダル踏み込み量やペダル踏力等）は、ペダルセンサ１１で検出され、その検出信号がブレーキＥＣＵ１に送られる。
【００１７】
その「＊＊」は、それぞれの車輪に対応する添え字であり、「ｆｒ」、「ｒｌ」、「ｒｒ」又は「ｆｌ」の何れかを表している。この「＊＊」は、特に言及しない限り、「ｆｒ」と「ｒｌ」と「ｒｒ」と「ｆｌ」の全てを示している。「ｆｒ」、「ｒｌ」、「ｒｒ」、「ｆｌ」は、それぞれに右前輪、左後輪、右後輪、左前輪の添え字を表している。
【００１８】
液圧発生部２０は、ブレーキブースタ（制動倍力装置）２１とマスタシリンダ２２とリザーバタンク２３とを備える。マスタシリンダ２２の２つの液圧室には、第１液圧通路２４Ａと第２液圧通路２４Ｂとが個別に連通される。この例示の第１液圧通路２４Ａには、マスタシリンダ圧を検出するマスタシリンダ圧センサ２６が接続されている。そのマスタシリンダ圧センサ２６の出力信号は、ブレーキＥＣＵ１に送られる。尚、マスタシリンダ圧センサ２６は、第２液圧通路２４Ｂに接続してもよい。
【００１９】
第１液圧通路２４Ａと第２液圧通路２４Ｂは、液圧調整部４０に接続されている。液圧調整部４０は、いわゆるブレーキアクチュエータであり、マスタシリンダ圧又は調圧後のブレーキ液圧を供給対象の制動力発生部３０＊＊に液圧通路３１＊＊を介して供給する。その液圧通路３１＊＊上には、車輪Ｗ＊＊毎に液圧センサ３２＊＊を設けている。その液圧センサ３２＊＊は、制動力発生部３０＊＊に供給されるブレーキ液圧を検出し、その検出信号をブレーキＥＣＵ１に送る。
【００２０】
液圧調整部４０は、その動作がブレーキＥＣＵ１の制動制御部によって制御される。この液圧調整部４０は、右前輪及び左後輪に対してブレーキ液圧を伝える第１液圧回路と、左前輪及び右後輪に対してブレーキ液圧を伝える第２液圧回路と、を備えたいわゆるＸ配管のものとして例示する。この液圧調整部４０においては、第１液圧通路２４Ａを第１液圧回路に接続し、第２液圧通路２４Ｂを第２液圧回路に接続する。
【００２１】
具体的に、この液圧調整部４０は、第１液圧通路２４Ａに接続されたマスタカット弁４１Ａと、第２液圧通路２４Ｂに接続されたマスタカット弁４１Ｂと、を備える。マスタカット弁４１Ａは、第１液圧回路におけるブレーキ液の流量調整装置として作用する。また、マスタカット弁４１Ｂは、第２液圧回路におけるブレーキ液の流量調整装置として作用する。それぞれのマスタカット弁４１Ａ，４１Ｂは、制動制御部の制御によって、後述する加圧ポンプ７３Ａ，７３Ｂから吐出されたブレーキ液圧を調節し、マスタシリンダ２２側へと開放する。
【００２２】
この液圧調整部４０においては、第１液圧通路２４Ａがマスタカット弁４１Ａを介して液圧通路４２Ａに接続され、第２液圧通路２４Ｂがマスタカット弁４１Ｂを介して液圧通路４２Ｂに接続される。液圧通路４２Ａには、右前輪の液圧通路３１ｆｒと左後輪の液圧通路３１ｒｌとが接続される。また、液圧通路４２Ｂには、左前輪の液圧通路３１ｆｌと右後輪の液圧通路３１ｒｒとが接続される。
【００２３】
その各液圧通路３１＊＊上には、車輪Ｗ＊＊毎に保持弁５１＊＊と減圧弁５２＊＊とが設けられている。各減圧弁５２＊＊には、車輪Ｗ＊＊毎に液圧通路５３＊＊が接続されている。第１液圧回路の液圧通路５３ｆｒ，５３ｒｌは、液圧通路５４Ａを介して、後述する加圧部７０の補助リザーバ７１Ａに接続されている。一方、第２液圧回路の液圧通路５３ｆｌ，５３ｒｒは、液圧通路５４Ｂを介して、加圧部７０の補助リザーバ７１Ｂに接続されている。
【００２４】
第１液圧通路２４Ａと液圧通路４２Ａとの間には、マスタカット弁４１Ａと並列に逆止弁６１が配置されている。その逆止弁６１は、第１液圧通路２４Ａ側から液圧通路４２Ａ側へのブレーキ液の流れのみを許容するものである。これと同じように、第２液圧通路２４Ｂと液圧通路４２Ｂとの間には、マスタカット弁４１Ｂと並列に逆止弁６２が配置されている。その逆止弁６２は、第２液圧通路２４Ｂ側から液圧通路４２Ｂ側へのブレーキ液の流れのみを許容するものである。
【００２５】
また、第１液圧回路においては、液圧通路４２Ａと液圧通路３１ｆｒとの間に逆止弁６３が保持弁５１ｆｒと並列に配置され、液圧通路４２Ａと液圧通路３１ｒｌとの間に逆止弁６４が保持弁５１ｒｌと並列に配置されている。その逆止弁６３，６４は、制動力発生部３０ｆｒ，３０ｒｌ側からマスタカット弁４１Ａ側へのブレーキ液の流れのみを許容するものである。一方、第２液圧回路においては、液圧通路４２Ｂと液圧通路３１ｒｒとの間に逆止弁６５が保持弁５１ｒｒと並列に配置され、液圧通路４２Ｂと液圧通路３１ｆｌとの間に逆止弁６６が保持弁５１ｆｌと並列に配置されている。その逆止弁６５，６６は、制動力発生部３０ｒｒ，３０ｆｌ側からマスタカット弁４１Ｂ側へのブレーキ液の流れのみを許容するものである。
【００２６】
この液圧調整部４０には、ブレーキ液を加圧する加圧部７０が設けられている。
【００２７】
加圧部７０は、第１液圧回路において、補助リザーバ７１Ａと、ポンプ通路７２Ａと、このポンプ通路７２Ａ上の加圧ポンプ７３Ａと、ポンプ通路７２Ａ上の逆止弁７５Ａ，７６Ａと、を備える。補助リザーバ７１Ａには、減圧弁５２ｆｒ，５２ｒｌが開弁状態のときに、液圧通路５４Ａを介してブレーキ液が送られる。ポンプ通路７２Ａは、一端が液圧通路５４Ａと補助リザーバ７１Ａに接続され、他端が液圧通路４２Ａに接続されている。加圧ポンプ７３Ａは、ポンプモータ７４の駆動力で動作する。逆止弁７５Ａは、加圧ポンプ７３Ａから吐出されたブレーキ液が加圧ポンプ７３Ａに戻らないようにするものである。逆止弁７６Ａは、加圧ポンプ７３Ａに吸入されるブレーキ液が逆流しないようにするものである。制動制御部は、ポンプモータ７４を駆動して、加圧ポンプ７３Ａで加圧されたブレーキ液を液圧通路４２Ａ（つまり保持弁５１ｆｒ，５１ｒｌの上流）に向けて吐出する。
【００２８】
ここで、ポンプ通路７２Ａにおける加圧ポンプ７３Ａの吸入側（液圧通路５４Ａ及び補助リザーバ７１Ａと逆止弁７６Ａとの間）には、第１吸入通路４３Ａの一端を接続している。制動制御部は、吸入弁４４Ａを開弁させることで、第１及び第２の吸入通路４３Ａ，４５Ａを介してマスタシリンダ圧を加圧ポンプ７３Ａの吸入側に供給することができる。ポンプ通路７２Ａには、そのマスタシリンダ圧が液圧通路５４Ａや補助リザーバ７１Ａに供給されないように逆止弁７７Ａを設けている。
【００２９】
一方、この加圧部７０は、第２液圧回路においても、第１液圧回路と同様の構成を備えている。つまり、第２液圧回路は、補助リザーバ７１Ｂと、ポンプ通路７２Ｂと、このポンプ通路７２Ｂ上の加圧ポンプ７３Ｂと、ポンプ通路７２Ｂ上の逆止弁７５Ｂ，７６Ｂと、を備える。また、この第２液圧回路は、第１吸入通路４３Ｂと吸入弁４４Ｂと第２吸入通路４５Ｂと逆止弁７７Ｂとを備える。このため、この第２液圧回路においては、制動制御部がポンプモータ７４を駆動することで、加圧ポンプ７３Ｂで加圧されたブレーキ液が液圧通路４２Ｂ（つまり保持弁５１ｆｌ，５１ｒｒの上流）に送られる。その際、加圧ポンプ７３Ｂの吸入側には、液圧通路５４Ｂや補助リザーバ７１Ｂのブレーキ液が供給される。また、制動制御部が吸入弁４４Ｂを開弁させた場合、この吸入側には、第１及び第２の吸入通路４３Ｂ，４５Ｂを介してマスタシリンダ圧が供給される。
【００３０】
この制動システムは、制御対象車輪の制動力発生部３０＊＊への供給液圧を増圧させる増圧モードと、制御対象車輪の制動力発生部３０＊＊への供給液圧を減圧させる減圧モードと、制御対象車輪の制動力発生部３０＊＊のブレーキ液圧を所定のブレーキ液圧で保持する保持モードと、を備える。
【００３１】
制動制御部は、制御対象車輪に対応するマスタカット弁４１Ａ（４１Ｂ）と保持弁５１＊＊とを開弁させ、かつ、その制御対象車輪に対応する減圧弁５２＊＊を閉弁させ、かつ、ポンプモータ７４を駆動制御することで、その制御対象車輪を増圧モードにする。また、制動制御部は、制御対象車輪に対応するマスタカット弁４１Ａ（４１Ｂ）と保持弁５１＊＊とを閉弁させ、かつ、その制御対象車輪に対応する減圧弁５２＊＊を開弁させることで、その制御対象車輪を減圧モードにする。また、制動制御部は、制御対象車輪に対応するマスタカット弁４１Ａ（４１Ｂ）と保持弁５１＊＊と減圧弁５２＊＊を閉弁させることで、その制御対象車輪を保持モードにする。
【００３２】
更に、本実施例のブレーキ制御装置は、自車両の運転支援制御に係る演算処理結果を利用して制動制御を行うことができる。このため、ブレーキＥＣＵ１には、その運転支援制御に係る演算処理を実施する電子制御装置（以下、「運転支援ＥＣＵ」という。）２が接続されている。その運転支援ＥＣＵ２には、運転支援制御に係る演算処理を行う運転支援制御部が設けられている。
【００３３】
その運転支援制御部は、自車両の周辺に存在する障害物（不動産などの静的なものもあれば、他車両などの動的なものもある）を監視し、自車両と障害物との関係に応じた運転支援制御を行う。このため、運転支援ＥＣＵ２には、自車両の周辺に存在する障害物を検出する周辺監視装置８２が接続されている。その周辺監視装置８２とは、例えば、ミリ波レーダセンサ、ステレオカメラなどの撮像装置、クリアタンスソナーなどの超音波センサ等のことである。この周辺監視装置８２は、例えば、自車両の前部や側部等に配置する。自車両の後方を監視する場合には、自車両の後部に周辺監視装置８２を配置してもよい。
【００３４】
運転支援制御の具体的な支援内容としては、自車両が衝突してしまったときのもの、自車両の衝突を回避するためのものが挙げられる。
【００３５】
自車両が衝突してしまったときの運転支援制御（以下、「衝突後運転支援制御」という。）とは、自車両と障害物とが衝突してしまったときに、後述する自車両の衝突を回避するための運転支援制御（以下、「衝突回避制御」という。）に差し替わって実施される運転支援制御のことでる。例えば、この衝突後運転支援制御とは、自車両の停止制御や操縦安定性の向上制御（以下、「操安制御」という。）のことである。自車両の停止制御とは、例えば、衝突後の自車両をその場で停車させる又は安全な場所まで移動して停車させる制御のことである。操安制御は、衝突に伴い変化した自車両の挙動を安定化方向に戻す制御のことである。制動制御部は、運転支援制御部から停止制御の実施指令を受信した場合、例えば、全ての車輪Ｗ＊＊を増圧モードに制御し、全ての車輪Ｗ＊＊に対して加圧部７０で加圧されたブレーキ液圧を供給する。また、制動制御部は、運転支援制御部から操安制御の実施指令と共に、挙動を安定させる目標ヨーモーメントを受信した場合、その目標ヨーモーメントに応じた増圧対象の車輪Ｗ＊＊を増圧モードに制御して、この車輪Ｗ＊＊に加圧部７０で加圧されたブレーキ液圧を供給し、かつ、その目標ヨーモーメントに応じた減圧対象の車輪Ｗ＊＊を減圧モードに制御する。
【００３６】
更に、運転支援ＥＣＵ２には、ブレーキＥＣＵ１の他に、パワーマネジメントＥＣＵ３や転舵ＥＣＵ４が接続されている。パワーマネジメントＥＣＵ３とは、動力源８１の出力制御に係る演算処理を実施する電子制御装置である。パワーマネジメントＥＣＵ３の出力制御部は、運転支援制御部から衝突後運転支援制御の実施指令を受信した場合、その制御形態に応じて動力源８１の出力を調整する。転舵ＥＣＵ４とは、転舵装置８３の転舵制御に係る演算処理を実施する電子制御装置である。転舵装置８３は、運転者の操舵操作に関係なく、転舵輪Ｗｆｌ，Ｗｆｒの転舵角と転舵方向を調整可能な装置である。転舵ＥＣＵ４の転舵制御部は、例えば、運転支援制御部から衝突後運転支援制御の実施指令を受信した場合、その制御形態に応じた目標ヨーモーメントを発生させるように転舵輪Ｗｆｌ，Ｗｆｒの転舵制御を行う。
【００３７】
衝突回避制御とは、例えば、ブレーキアシスト制御やプリクラッシュブレーキ制御のことである。ブレーキアシスト制御とは、運転者のブレーキ操作に応じたブレーキ液圧よりも高圧のブレーキ液圧を各車輪Ｗ＊＊に供給し、ブレーキ操作よりも大きな制動力を発生させる制御のことである。プリクラッシュブレーキ制御とは、自車両において衝突の可能性がある場合に、高圧のブレーキ液圧を各車輪Ｗ＊＊に供給し、自車両に大きな制動力を発生させることで、衝突被害を軽減させる制御のことである。制動制御部は、運転支援制御部からブレーキアシスト制御やプリクラッシュブレーキ制御の実施指令を受信した場合、例えば、液圧調整部４０を制御して全ての車輪Ｗ＊＊を増圧モードに制御し、全ての車輪Ｗ＊＊に対して加圧部７０で加圧された加圧ブレーキ液圧を供給する。
【００３８】
自車両においては、このような衝突回避制御を実施したにも拘わらず、衝突を免れない場合がある。そして、その場合には、衝突によって制動システムが損傷し、ブレーキ液が漏れてしまう可能性がある。このため、ブレーキＥＣＵ１には、ブレーキ液圧の低下に伴う液圧経路の異常を検出する異常検出部が設けられている。その異常検出部は、例えば、例えば液圧センサ３２＊＊等で検出されたブレーキ液圧が閾値としての所定圧以下となった場合に、該当する液圧経路に異常が生じているとの検出を行う。液圧経路の異常が検出された場合、ブレーキＥＣＵ１の液圧調整部は、例えば、従来と同じように、その異常が検出された液圧経路へのブレーキ液圧の供給を遮断する。
【００３９】
ここで、この制動システムにおいては、衝突回避制御を実施することによって、加圧部７０の加圧ブレーキ液圧が当該加圧部７０から全ての車輪Ｗ＊＊の制動力発生部３０＊＊までの間の液圧経路（液圧通路等）に作用している。そして、衝突後は、衝突後運転支援制御の実施によって、増圧制御対象の液圧経路に加圧部７０の加圧ブレーキ液圧が作用している。このため、この制動システムでは、その各車輪Ｗ＊＊の液圧経路の内の何れかが衝突に伴い損傷して、その損傷箇所からブレーキ液が漏れていたとしても、この損傷の発生した液圧経路に加圧ブレーキ液圧が作用していると、この損傷の発生した液圧経路のブレーキ液圧が緩やかに低下していくことになる。そして、その際には、そのブレーキ液圧が所定圧以下となるまでに時間を要するので、それまでの間、そのブレーキ液圧の低下が損傷等の液圧経路の異常に起因するものであるのか否かを異常検出部が判別できない。つまり、この制動システムでは、衝突によって損傷した液圧経路が存在しているにも拘わらず、加圧ブレーキ液圧の作用によって、その液圧経路の異常が検出されるまでに時間を要してしまう可能性がある。
【００４０】
一方、衝突前に又は衝突直後に加圧部７０の動作を停止させ、損傷の発生した車輪Ｗ＊＊の液圧経路に加圧ブレーキ液圧を作用させなければ、異常検出部は、その液圧経路の異常検出を早めることができる。しかしながら、この制動システムでは、加圧部７０の動作を停止させることによって、正常な液圧経路に加圧ブレーキ液圧が作用しなくなるので、損傷の発生した液圧経路の異常が検出されるまで、衝突後運転支援制御を実施することができない。
【００４１】
また、この制動システムでは、同一系統の液圧回路において、損傷の発生した車輪Ｗ＊＊の液圧経路とは別の車輪Ｗ＊＊の液圧経路も存在している。このため、同一系統の液圧回路上で一方の車輪Ｗ＊＊の液圧経路のみに衝突に伴う異常が発生している場合、正常な車輪Ｗ＊＊の液圧経路においては、損傷の発生した車輪Ｗ＊＊の液圧経路の異常が検出されるまでの間、その損傷箇所からのブレーキ液の漏れの影響を受けてブレーキ液圧が低下してしまう可能性がある。よって、その正常な車輪Ｗ＊＊においては、衝突後運転支援制御を実施したとしても、損傷の発生した液圧経路の異常が検出されるまで、制動力が目標値に対して小さくなってしまう可能性がある。
【００４２】
そこで、このブレーキ制御装置においては、自車両と障害物との衝突の可能性がある場合、運転支援制御部が加圧部７０を制御し、この加圧部７０の加圧ブレーキ液圧を全ての車輪Ｗ＊＊の液圧経路に供給することで、衝突回避制御を実施し、自車両に高い制動力を発生させる。その加圧ブレーキ液圧は、衝突を回避できない場合、少なくとも衝突が起きた後まで供給し続ける。具体的には、自車両と障害物との衝突の可能性があり、その衝突の発生する可能性が高い場合、ブレーキアシスト制御を実施して、全ての車輪Ｗ＊＊の液圧経路に加圧ブレーキ液圧を供給し、その衝突を回避できないと判定した場合、プリクラッシュブレーキ制御を実施して、全ての車輪Ｗ＊＊の液圧経路に対する加圧ブレーキ液圧を増圧させる。
【００４３】
このため、運転支援ＥＣＵ２には、自車両と障害物との衝突の可能性を判定し、かつ、その衝突の発生する可能性が高いのか否かを判定し、かつ、その衝突が回避可能であるのか否かを判定する衝突可能性判定部を設ける。
【００４４】
また、このブレーキ制御装置においては、衝突を回避できない場合、衝突前に、自車両における障害物との衝突箇所を予測し、その予測情報に基づいて、衝突による損傷の発生の可能性が高い（つまり異常発生リスクの高い）車輪Ｗ＊＊の液圧経路を予測する。そして、このブレーキ制御装置では、異常検出部により液圧経路の異常が検出されるまで、異常発生リスクの低い正常な車輪Ｗ＊＊の液圧経路への加圧ブレーキ液圧の供給を継続させると共に、異常発生リスクの高い車輪Ｗ＊＊の液圧経路への加圧ブレーキ液圧の供給圧を抑制する。その加圧ブレーキ液圧の供給圧の抑制は、例えば、少なくとも衝突発生後、異常検出部により液圧経路の異常が検出されるまでの間に実施する。また、この加圧ブレーキ液圧の供給圧の抑制は、少なくとも衝突発生前（例えば衝突直前）から開始して、衝突発生後、異常検出部により液圧経路の異常が検出されるまで実施してもよい。
【００４５】
このため、運転支援ＥＣＵ２には、その自車両における衝突箇所の予測を行う衝突箇所予測部と、異常発生リスクの高い車輪Ｗ＊＊の液圧経路を予測する異常箇所予測部と、その異常発生リスクに応じた加圧ブレーキ液圧の供給の継続と供給圧の抑制とを行う加圧調整部と、を設ける。
【００４６】
これにより、その異常発生リスクの高い車輪Ｗ＊＊の液圧経路においては、加圧ブレーキ液圧の供給が継続されていた場合と比較して、ブレーキ液圧の低下速度が速くなる。このため、このブレーキ制御装置においては、異常検出部による液圧経路の異常の検出を速やかに行うことができる。その一方で、このブレーキ制御装置においては、異常発生リスクの低い正常な車輪Ｗ＊＊の液圧経路に対する加圧ブレーキ液圧の供給が継続されているので、その異常の検出が行われるまでの間においても、その正常な車輪Ｗ＊＊で衝突後運転支援制御の目標制動力を発生させることができる。
【００４７】
以下、本実施例のブレーキ制御装置の演算処理動作について図３のフローチャートに基づき説明する。
【００４８】
衝突可能性判定部は、自車両が障害物と衝突する可能性があるのか否かを判定する（ステップＳＴ１）。この判定は、衝突回避制御等における周知の判定形態を利用して行う。衝突可能性判定部は、その判定に際して、例えば、周辺監視装置８２と車輪速センサ９１＊＊とヨーレートセンサ９２とステアリングセンサ９３の検出情報を利用する。車輪速センサ９１＊＊は、車輪Ｗ＊＊毎に設けられ、それぞれの車輪速度を検出して、その検出信号を運転支援ＥＣＵ２に送る。運転支援ＥＣＵ２においては、その車輪速度に基づいて自車両の車速を演算することができる。ヨーレートセンサ９２は、自車両のヨーレートを検出し、その検出信号を運転支援ＥＣＵ２に送る。ステアリングセンサ９３は、運転者の操舵操作に応じたステアリングホイール（図示略）の操舵角を検出し、その検出信号を運転支援ＥＣＵ２に送る。運転支援ＥＣＵ２においては、そのヨーレートセンサ９２とステアリングセンサ９３の検出信号に基づいて、自車両の走行姿勢（進行方向）を判断することができる。よって、衝突可能性判定部は、これらの検出情報を利用して、自車両との間隔が縮まるであろうと予測される障害物の有無を判定する。そして、そのような障害物が検出された場合、衝突可能性判定部は、自車両に対する障害物の相対速度、自車両と障害物のそれぞれの進行方向の交差角度、自車両と障害物との間隔等に基づいて、その障害物と自車両とが衝突する可能性があるのか否かを判定する。衝突可能性判定部は、衝突の可能性が無ければ、この演算処理を一旦終わらせる。
【００４９】
運転支援ＥＣＵ２は、自車両と障害物との衝突の可能性がある場合、その旨を運転者に通知する（ステップＳＴ２）。
【００５０】
例えば、運転支援ＥＣＵ２には、車室内の乗員に向けて情報を伝える通知制御部が設けられている。その通知制御部は、自車両の衝突の可能性がある旨を視覚情報や聴覚情報として通知する。例えば、通知制御部は、その旨を伝える文字やマーク等を車室内の表示部（図示略）に表示させる。また、通知制御部は、その旨を伝える音声や警告音を車室内のスピーカ（図示略）から出力させる。
【００５１】
衝突可能性判定部は、自車両の衝突の可能性が高いのか否かを判定する（ステップＳＴ３）。この判定は、自車両に対する障害物の相対速度、自車両と障害物のそれぞれの進行方向の交差角度、自車両と障害物との間隔等に基づいて行えばよい。運転支援ＥＣＵ２は、衝突の可能性が低ければ、この演算処理を一旦終わらせる。
【００５２】
ここで、衝突の可能性があることを認識した運転者は、即座にブレーキ操作を行うものと考えられるが、例えば、その認識が遅れたなどの理由によって、ブレーキ操作が行われていない場合もある。このため、運転支援ＥＣＵ２の運転支援制御部は、衝突の可能性が高い場合、運転者によってブレーキ操作が実施されているのか否かを判定する（ステップＳＴ４）。この判定は、ペダルセンサ１１が検出したブレーキ操作量に基づき行う。尚、この判定は、ストップランプスイッチ（図示略）のオン信号を利用してもよい。
【００５３】
運転支援制御部は、運転者がブレーキ操作を実施していなければ、下記のステップＳＴ６に進む。これに対して、運転者がブレーキ操作を実施している場合、運転支援制御部は、ブレーキアシスト制御を実施させる（ステップＳＴ５）。
【００５４】
衝突可能性判定部は、自車両と障害物との衝突を回避できないのか否かを判定する（ステップＳＴ６）。この判定は、現状の自車両の走行姿勢（進行方向）のままでは衝突の回避が不可能であるのか否かを判断するものであってもよく、転舵ＥＣＵ４の転舵制御部が転舵制御を行い、現状の自車両の走行姿勢を変化させたとしても衝突の回避が不可能であるのか否かを判断するものであってもよい。この判定は、自車両に対する障害物の相対速度、自車両と障害物のそれぞれの進行方向の交差角度、自車両と障害物との間隔等に基づいて行えばよい。運転支援ＥＣＵ２は、衝突を回避できると判定した場合、この演算処理を一旦終わらせる。
【００５５】
衝突を回避できないと判定した場合、運転支援制御部は、その衝突に備えてプリクラッシュブレーキ制御を実施させる（ステップＳＴ７）。既にブレーキアシスト制御が実施されている場合には、プリクラッシュブレーキ制御を実施し、加圧ブレーキ液圧を要求ブレーキ液圧まで更に増圧させることで、ブレーキアシスト制御よりも制動力を増加させる。一方、ブレーキアシスト制御が実施されていない場合には、加圧ブレーキ液圧を要求ブレーキ液圧まで増圧させることで、制動力の増加を図る。このステップＳＴ７は、衝突が不可避と判定された後、後述するステップＳＴ１０の判定が実施されるまでの間に行えばよい。尚、仮にプリクラッシュブレーキ制御を介入させる時間が無い場合には、既にブレーキアシスト制御が実施されていれば、これを継続させる。
【００５６】
衝突箇所予測部は、衝突を回避できない場合、自車両における障害物との衝突箇所を予測する（ステップＳＴ８）。その予測は、自車両に対する障害物の相対速度、自車両と障害物のそれぞれの進行方向の交差角度、自車両と障害物との間隔等に基づいて行えばよい。そして、異常箇所予測部は、その予測した衝突箇所に基づいて、全ての車輪Ｗ＊＊の液圧経路の中から異常発生リスクの高い車輪Ｗ＊＊の液圧経路を予測する（ステップＳＴ９）。
【００５７】
加圧調整部は、現時点から自車両と障害物が衝突するまでの予測時間Ｔｔｃを算出し、この予測時間Ｔｔｃが所定時間Ｔｔｈ１以内なのか否かを判定する（ステップＳＴ１０）。衝突までの予測時間Ｔｔｃは、自車両に対する障害物の相対速度、自車両と障害物のそれぞれの進行方向の交差角度、自車両と障害物との間隔等に基づいて求めることができる。所定時間Ｔｔｈ１は、自車両に対する障害物の相対速度、自車両と障害物のそれぞれの進行方向の交差角度、自車両と障害物との間隔等に基づいて決める。
【００５８】
加圧調整部は、衝突までの予測時間Ｔｔｃが所定時間Ｔｔｈ１を超えている場合、この演算処理を一旦終わらせる。一方、加圧調整部は、衝突までの予測時間Ｔｔｃが所定時間Ｔｔｈ１以内の場合、衝突する直前になったので、異常発生リスクの高い車輪Ｗ＊＊の液圧経路に対する加圧ブレーキ液圧の供給圧を抑制する（ステップＳＴ１１）。例えば、その異常発生リスクの高い車輪Ｗ＊＊の液圧経路においては、異常発生リスクの低い正常な車輪Ｗ＊＊の液圧経路と比べて加圧ブレーキ液圧の供給圧を低下させたり、加圧ブレーキ液圧の供給を遮断させたりする。後者の場合には、異常発生リスクの高い車輪Ｗ＊＊を増圧モードから保持モードに切り替える。
【００５９】
尚、この例示では、ステップＳＴ１１を衝突の発生前に実施している。但し、自車両と障害物は、このステップＳＴ１１に至るまでの演算処理の途中で衝突してしまう可能性もある。このため、ステップＳＴ１１の実施前に衝突した場合には、このステップＳＴ１１を衝突後に実施する。
【００６０】
運転支援ＥＣＵ２の衝突判定部は、自車両と障害物との衝突が発生したのか否かを判定する（ステップＳＴ１２）。
【００６１】
運転支援制御部は、衝突が発生した場合、異常発生リスクの高い車輪＊＊を除いた異常発生リスクの低い正常な車輪＊＊の制動力を制御して、操安制御を実施する（ステップＳＴ１３）。
【００６２】
異常検出部は、衝突発生後、液圧経路に異常が生じているのか否かの判定を全ての車輪Ｗ＊＊に対して行い続けている。このため、運転支援制御部は、液圧経路の異常が検出されたのか否かを判定する（ステップＳＴ１４）。
【００６３】
運転支援制御部は、液圧経路の異常が検出された場合、操安制御を実施したまま、この演算処理を一旦終わらせる。その際、液圧調整部は、その異常が検出された液圧経路へのブレーキ液圧の供給が遮断されていなければ、その供給を遮断する。
【００６４】
例えば、図４には、自車両Ｃ１の左側方から進行してきた他車両Ｃ２が自車両Ｃ１の前部における左側面に衝突する場面を示している。図５には、その場合のブレーキ制御装置の演算処理のタイムチャートを示している。
【００６５】
この場合には、時間Ｔ１で衝突不可避と判定された後、自車両Ｃ１の前部における左側面が自車両Ｃ１における障害物（他車両Ｃ２）との衝突箇所と予測され、左前輪Ｗｆｌの液圧経路が異常発生リスクの高いものとして予測される。時間Ｔ１−Ｔ２の間、全ての車輪Ｗ＊＊の液圧経路に対して加圧ブレーキ液圧が供給されており、それぞれの液圧経路においては、ブレーキ液圧が増加する。時間Ｔ２では、異常発生リスクの高い左前輪Ｗｆｌを増圧モードから保持モードに切り替えて、この左前輪Ｗｆｌの液圧経路に対する加圧ブレーキ液圧の供給を停止する。
【００６６】
この例示では、衝突箇所が自車両Ｃ１の前部における左側面と予測されているので、その衝突に伴い、自車両Ｃ１の時計回りのヨーモーメントが発生する。このため、自車両Ｃ１の衝突後の操縦安定性を確保するためには、そのヨーモーメントに抵抗する反時計回りの目標ヨーモーメントを発生させる必要がある。このため、時間Ｔ２では、右前輪Ｗｆｒにおいても、増圧モードから保持モードに切り替えて、その液圧経路に対する加圧ブレーキ液圧の供給を停止させている。
【００６７】
時間Ｔ３においては、自車両Ｃ１と障害物（他車両Ｃ２）の衝突が発生し、左前輪Ｗｆｌの液圧経路が損傷する。このため、運転支援制御部は、この時間Ｔ３において、正常な右前輪Ｗｆｒを保持モードから減圧モードに切り替え、かつ、正常な右後輪Ｗｒｒを増圧モードから減圧モードに切り替え、かつ、正常な左後輪Ｗｒｌを増圧モードから保持モードに切り替える。これにより、この制動システムにおいては、正常な左後輪Ｗｒｌのブレーキ液圧が加圧状態のまま保持されると共に、正常な右前輪Ｗｆｒと右後輪Ｗｒｒのブレーキ液圧が低下する、よって、自車両Ｃ１においては、反時計回りの目標ヨーモーメントが発生し、挙動が安定する。一方、損傷した左前輪Ｗｆｌの液圧経路においては、ブレーキ液圧の増減が無いので、損傷と共にブレーキ液圧が速やかに低下する。このため、異常検出部は、その左前輪Ｗｆｌの液圧経路の異常を速やかに検出することができる。
【００６８】
運転支援制御部は、ステップＳＴ１４で液圧経路の異常が検出されていないと判定した場合、衝突してからの経過時間Ｔｆｃを算出し、この経過時間Ｔｆｃが所定時間Ｔｔｈ２以内なのか否かを判定する（ステップＳＴ１５）。所定時間Ｔｔｈ２は、衝突時の各種情報に基づいて決める。その各種情報とは、例えば、衝突時の自車両に対する障害物の相対速度、自車両の加速度、自車両と障害物のそれぞれの進行方向の交差角度、自車両の衝突箇所等である。
【００６９】
運転支援制御部は、経過時間Ｔｆｃが所定時間Ｔｔｈ２以内の場合、ステップＳＴ１４に戻る。
【００７０】
一方、運転支援制御部は、経過時間Ｔｆｃが所定時間Ｔｔｈ２を超えている場合、異常発生リスクの高い車輪Ｗ＊＊の液圧経路に異常が発生しないと判断して、その液圧経路に対するブレーキ液圧の制御モードを通常時のものに復帰させる（ステップＳＴ１６）。通常時の制御モードとは、ステップＳＴ１１の制御を実施していないときの制御モードのことである。これにより、未だ操安制御が実施されているときには、その液圧経路についても、この操安制御における目標ブレーキ液圧となるように制御される。
【００７１】
運転支援制御部は、ステップＳＴ１２で衝突が発生していないと判定された場合、ステップＳＴ６で衝突不可避と判定されてからの時間Ｔｉｃが所定時間Ｔｈ３以内か否かを判定する（ステップＳＴ１７）。その所定時間Ｔｈ３は、衝突不可避と判定されたときの各種情報に基づいて決める。その各種情報とは、例えば、その判定時の自車両に対する障害物の相対速度、自車両と障害物のそれぞれの進行方向の交差角度、自車両と障害物との間隔等である。
【００７２】
運転支援制御部は、時間Ｔｉｃが所定時間Ｔｈ３以内の場合、未だ衝突の可能性が残っているので、ステップＳＴ１２に戻る。一方、運転支援制御部は、時間Ｔｉｃが所定時間Ｔｈ３を超えている場合、例えば障害物（他車両）の走行姿勢の変化等によって衝突が回避されたと判断し、ステップＳＴ１６に進み、異常発生リスクの高い車輪Ｗ＊＊の液圧経路に対するブレーキ液圧の制御モードを通常時のものに復帰させる。
【００７３】
以上示したように、本実施例のブレーキ制御装置は、衝突が不可避である場合に全ての車輪Ｗ＊＊の液圧経路に対して加圧ブレーキ液圧を供給し、かつ、予測した障害物との衝突箇所に基づいて、衝突による異常発生リスクの高い車輪Ｗ＊＊の液圧経路を予測する。そして、このブレーキ制御装置は、液圧経路の異常が検出されるまでの間、異常発生リスクの低い正常な車輪Ｗ＊＊の液圧経路への加圧ブレーキ液圧の供給を継続させると共に、異常発生リスクの高い車輪Ｗ＊＊の液圧経路への加圧ブレーキ液圧の供給圧を抑制する。このため、この制動システムにおいては、その異常発生リスクの高い車輪Ｗ＊＊の液圧経路におけるブレーキ液圧の低下速度を速めることができる。よって、このブレーキ制御装置は、その異常発生リスクの高い車輪Ｗ＊＊の液圧経路の異常を速やかに検出することができる。更に、このブレーキ制御装置は、液圧経路の異常が検出されるまでの間も、異常発生リスクの低い正常な車輪Ｗ＊＊の液圧経路に対して加圧ブレーキ液圧の供給を継続し続けているので、その加圧ブレーキ液圧を利用した操安制御を実施することができる。
【００７４】
［変形例］
前述した実施例のブレーキ制御装置は、機関が動力源８１となる車両に搭載される図２の制動システムを制御対象にしたものとして説明した。但し、このブレーキ制御装置は、機関と回転機（モータ等）とが動力源８１となるハイブリッド車両の制動システムを制御対象にすることもできる。
【００７５】
本変形例の制動システムは、図２の制動システムと同じように、ディスクブレーキ装置であり、マスタシリンダ圧又は調圧後のブレーキ液圧に応じた制動力を夫々の車輪Ｗ＊＊に対して個別に付与することができる。この制動システムには、図２の制動システムと同じように、液圧発生部１２０と車輪Ｗ＊＊毎の制動力発生部１３０＊＊と液圧調整部１４０とが設けられている（図６）。
【００７６】
液圧発生部１２０は、マスタシリンダ１２２とリザーバタンク１２３とを備える。そのマスタシリンダ１２２は、一方の液圧室に第１液圧通路１２４Ａを連通させ、他方の液圧室に第２液圧通路１２４Ｂを連通させている。また、リザーバタンク１２３は、第３液圧通路１２４Ｃが接続されている。
【００７７】
第２液圧通路１２４Ｂ上には、ストロークシミュレータ装置１２５が設けられている。ストロークシミュレータ装置１２５は、ストロークシミュレータとシミュレータ制御弁とを備える。シミュレータ制御弁は、いわゆる常閉式の電磁弁であって、ブレーキＥＣＵ１の制動制御部の制御によって弁開度を変えることができる。シミュレータ制御弁を開弁させたときは、第２液圧通路１２４Ｂからストロークシミュレータにブレーキ液が送られる。
【００７８】
また、第１液圧通路１２４Ａと第２液圧通路１２４Ｂとには、それぞれにマスタシリンダ圧センサ１２６Ａ，１２６Ｂが接続されている。マスタシリンダ圧センサ１２６Ｂは、第２液圧通路１２４Ｂ上でストロークシミュレータ装置１２５よりも下流に配置される。そのマスタシリンダ圧センサ１２６Ａ，１２６Ｂの出力信号は、ブレーキＥＣＵ１に送られる。
【００７９】
液圧調整部１４０は、制動制御部に制御されるブレーキアクチュエータであり、マスタシリンダ圧又は調圧後のブレーキ液圧を供給対象の制動力発生部１３０＊＊に液圧通路１３１＊＊を介して供給する。その液圧通路１３１＊＊上には、車輪Ｗ＊＊毎に液圧センサ１３２＊＊を設けている。その液圧センサ１３２＊＊は、制動力発生部１３０＊＊に供給されるブレーキ液圧を検出し、その検出信号をブレーキＥＣＵ１に送る。
【００８０】
この液圧調整部１４０には、２つの切替弁１４１Ａ，１４１Ｂが設けられている。切替弁１４１Ａは、第１液圧通路１２４Ａと右前輪Ｗｆｒの液圧通路１３１ｆｒとを接続し、これらの間を開弁時に連通させる。切替弁１４１Ｂは、第２液圧通路１２４Ｂと左前輪Ｗｆｌの液圧通路１３１ｆｌとを接続し、これらの間を開弁時に連通させる。
【００８１】
各車輪Ｗ＊＊は、それぞれに保持弁１５１＊＊と減圧弁１５２＊＊を備える。全ての保持弁１５１＊＊の上流側には、液圧通路１５３が接続されている。また、全ての減圧弁１５２＊＊の下流側には、液圧通路１５４が接続されている。その液圧通路１５４は、第３液圧通路１２４Ｃに接続される。
【００８２】
前輪の保持弁１５１ｆｌ，１５１ｆｒの下流側には、それぞれに液圧通路１５５ｆｌ，１５５ｆｒの一端が接続されている。その液圧通路１５５ｆｌ，１５５ｆｒの他端は、それぞれに前輪の減圧弁１５２ｆｌ，１５２ｆｒの上流側に接続されている。一方、この液圧通路１５５ｆｌ，１５５ｆｒは、それぞれに液圧通路１５６ｆｌ，１５６ｆｒを介して液圧通路１３１ｆｌ，１３１ｆｒに接続されている。
【００８３】
一方、後輪の保持弁１５１ｒｌ，１５１ｒｒの下流側には、それぞれに液圧通路１３１ｒｌ，１３１ｒｒが接続されている。そして、後輪においては、その液圧通路１３１ｒｌ，１３１ｒｒと減圧弁１５２ｒｌ，１５２ｒｒの上流側とがそれぞれに液圧通路１５７ｒｌ，１５７ｒｒを介して接続されている。
【００８４】
この液圧調整部１４０には、制動制御部の制御によってブレーキ液を加圧し、その加圧ブレーキ液圧を液圧通路１５３（つまり保持弁１５１＊＊の上流側）に供給する加圧部１７０が設けられている。
【００８５】
その加圧部１７０は、ポンプモータ１７１とアキュムレータ１７２とを備える。ポンプモータ１７１には、第３液圧通路１２４Ｃが接続されており、リザーバタンク１２３又は液圧通路１５４からのブレーキ液が吸入される。このポンプモータ１７１は、吸入したブレーキ液を加圧し、液圧通路１７３を介してアキュムレータ１７２に送る。その液圧通路１７３には、アキュムレータ１７２のブレーキ液をポンプモータ１７１へと逆流させないように逆止弁１７４が設けられている。
【００８６】
アキュムレータ１７２の加圧ブレーキ液圧（アキュムレータ圧）は、液圧通路１７５を介して液圧通路１５３（保持弁１５１＊＊の上流側）に供給される。その液圧通路１７５には、アキュムレータ圧センサ１７６を設けている。そのアキュムレータ圧センサ１７６は、液圧通路１５３（保持弁１５１＊＊の上流側）に供給されるアキュムレータ圧を検出し、その検出信号をブレーキＥＣＵ１に送る。
【００８７】
液圧通路１７５におけるアキュムレータ１７２とアキュムレータ圧センサ１７６との間には、液圧通路１７７が接続されている。その液圧通路１７７は、更に液圧通路１５４に接続されている。この液圧通路１７７には、液圧通路１７５から液圧通路１５４にのみブレーキ液を流すことのできる逆止弁１７８が設けられている。
【００８８】
この制動システムは、制御対象車輪の制動力発生部１３０＊＊への供給液圧を増圧させる増圧モードと、制御対象車輪の制動力発生部１３０＊＊への供給液圧を減圧させる減圧モードと、制御対象車輪の制動力発生部１３０＊＊のブレーキ液圧を所定のブレーキ液圧で保持する保持モードと、を備える。
【００８９】
制動制御部は、制御対象車輪の保持弁１５１＊＊を開弁させ、かつ、その制御対象車輪の減圧弁１５２＊＊を閉弁させ、かつ、ポンプモータ１７１を駆動制御することで、その制御対象車輪を増圧モードにする。また、制動制御部は、制御対象車輪の保持弁１５１＊＊を閉弁させ、かつ、その制御対象車輪の減圧弁１５２＊＊を開弁させることで、その制御対象車輪を減圧モードにする。また、制動制御部は、制御対象車輪の保持弁１５１＊＊と減圧弁１５２＊＊を閉弁させることで、その制御対象車輪を保持モードにする。
【００９０】
本変形例のブレーキ制御装置は、実施例と同じように制御を行うことで、その実施例のものと同様の効果を得ることができる。
【符号の説明】
【００９１】
１  ブレーキＥＣＵ
２  運転支援ＥＣＵ
３０ｆｌ，３０ｆｒ，３０ｒｌ，３０ｒｒ，１３０ｆｌ，１３０ｆｒ，１３０ｒｌ，１３０ｒｒ  制動力発生部
４０，１４０  液圧調整部
７０，１７０  加圧部
【図１】
2016002897.tif 000003
【図２】
2016002897.tif 000004
【図３】
2016002897.tif 000005
【図４】
2016002897.tif 000006
【図５】
2016002897.tif 000007
【図６】
2016002897.tif 000008